(57)【要約】【課題】かご中央付近に通気具を配置することができ、下側天井の移動を可能とする、効率のよい送風構造を持つエレベーター用かご天井を提供する。【解決手段】かごの二重天井において、柔軟な素材（ゴムなど）で構成された空気誘導手段８を、可動式の固定手段７（蝶番など）で、上側天井２と固定しているため、通気口付下側天井４ａの移動を妨げることなく、かご中央付近に空気誘導手段８及び通気口４ｂを配置することができる。  また、通気口付下側天井４ａの通気口４ｂ周囲に柔軟な素材（ウレタンなど）で構成した断熱材１０を貼り付け、柔軟な素材（ゴムなど）で構成された空気誘導手段８を擦り付ける構成としたため、気密性を高めることができ、効率のよい送風構造を有する天井とすることができる。【選択図】図１
2006240828.tif 000002
【特許請求の範囲】
【請求項１】
エレベーターの乗りかご上に、換気装置とその換気装置で生成した空気をかご内に誘導する空気誘導手段を備えた上側天井と下側天井で構成されるかごの二重天井において、前記空気誘導手段をかご中央付近に配置することを特徴とするエレベーター用かご天井。
【請求項２】
エレベーターの乗りかご上に、換気装置とその換気装置で生成した空気をかご内に誘導する空気誘導手段を備えた、上側天井と下側天井で構成されるかごの二重天井において、前記空気誘導手段と上側天井を、可動式の固定手段で固定することを特徴とするエレベーター用かご天井。
【請求項３】
エレベーターの乗りかご上に、換気装置とその換気装置で生成した空気をかご内に誘導する空気誘導手段を備えた、上側天井と下側天井で構成されるかごの二重天井において、柔軟な素材で構成した前記空気誘導手段を、柔軟な素材で構成した断熱材を貼り付けた下側天井に擦り付けることで気密性を高め、効率のよい送風構造を有することを特徴とするエレベーター用かご天井。
【発明の詳細な説明】
【技術分野】
【０００１】
エレベーター用かご天井に関する。
【背景技術】
【０００２】
一般に、エレベーターの二重天井では、上側天井と、上側天井に固定された下側天井吊り下げ枠と、吊り下げ枠に乗せる下側天井とで構成されている。
【０００３】
照明器具の取替などのメンテナンス時には下側天井の１枚を隣接する下側天井の上に移動する。
【０００４】
また、空気誘導手段については、下側天井と側板の間に換気装置を持つ通気口を設けてある。
【０００５】
この種の装置としては特許文献１に示すものが知られており、天井の開口部に配置されて上記開口部の一縁部を形成した空気誘導手段を持つ換気装置と上記開口部に配置されて外周部が上記開口部の縁部及び上記空気誘導手段に支持された散光板を有する照明器具とを備えたものである。
【特許文献１】実開昭５６−０８０３６８号（３項中段落０００６〜０００９，図３）
【発明の開示】
【発明が解決しようとする課題】
【０００６】
前記特許文献１の構成では照明器具及び通気具の配置に制限があり、意匠性の自由度が妨げられるという問題がある。
【０００７】
前記提案の意匠性の自由度を高めたものとして知られる、上側天井と、上側天井に固定された下側天井吊り下げ枠と、吊り下げ枠に乗せる下側天井とで構成される二重天井において、下側天井と側板の間に通気口を設けてある構成では、かご中央付近に通気口を配置することができないという第１の問題があった。
【０００８】
また、上側天井と下側天井の送風口の間を固定式の通気具で覆う構造とした場合には、メンテナンス時に下側天井の移動が妨げられるという第２の問題があった。
【０００９】
また、上記構成において、通気口がかご中央付近となるように、上側天井上部に換気装置を設け、空気誘導手段を用いずに下側天井に通気口を配置した場合、上側天井と下側天井の間から空気が逃げてしまうため、かご内での風量が低下するという第３の問題があった。
【００１０】
本発明の目的は、エレベーター用かご中央付近に通気具を配置することができ、下側天井の移動を可能とする、効率のよい送風構造を持つエレベーター用かご天井を提供することにある。
【課題を解決するための手段】
【００１１】
上記第１の問題を解決するため、本発明はエレベーターの乗りかご上に、換気装置と、その換気装置で生成した空気をかご内に誘導する空気誘導手段を備えた上側天井と下側天井で構成されるかごの二重天井において、前記空気誘導手段をかご中央付近に配置する構成としたことを特徴とし、上記第２の問題を解決するため、エレベーターの乗りかご上に、換気装置と、その換気装置で生成した空気をかご内に誘導する空気誘導手段を備えた上側天井と下側天井で構成されるかごの二重天井において、前記空気誘導手段と上側天井を可動式の固定手段で固定する構成としたことを特徴とする。
【００１２】
この２つの特徴により下側天井の移動を妨げることなく、かご中央付近に空気誘導手段を設けることができ、前記目的を達成することができる。
【００１３】
また、上記第３の問題を解決するため、本発明はエレベーターの乗りかご上に、換気装置と、その換気装置で生成した空気をかご内に誘導する空気誘導手段を備えた、上側天井と下側天井で構成されるかごの二重天井において、柔軟な素材で構成した前記空気誘導手段を、柔軟な素材で構成した断熱材を貼り付けた下側天井に擦りつける構成としたことを特徴とする。
【００１４】
この構成により、気密性を高めることができ、前記目的を達成することができる。
【発明の効果】
【００１５】
照明器具の取替などのメンテナンス時には、下側天井を隣接する下側天井の上に移動するが、空気誘導手段は柔軟な素材（ゴムなど）で構成され、また、可動式の固定手段（蝶番など）で上側天井と固定されているため、通気口付下側天井の移動を妨げることなく、かご中央付近に空気誘導手段及び通気口を配置することができる。
【００１６】
本図では空気誘導手段及び通気口をかご中央付近に配置しているが、下側天井の範囲内であれば、いずれの位置においても同様の効果が得られる。
【００１７】
また、通気口付下側天井の通気口周囲に柔軟な素材（ウレタンなど）で構成した断熱材を貼り付け、柔軟な素材（ゴムなど）で構成された空気誘導手段を擦りつける構成としたため、気密性を高めることができ、効率のよい送風構造を有する天井とすることができる。
【００１８】
さらに、空気誘導手段を断熱性の素材（ゴムなど）で構成し、下側天井通気口に断熱性の素材で構成された通気具を設け、また通気口周囲の下側天井上面に断熱材（ウレタンなど）を貼り付けることにより、冷房装置を取付ける際の結露防止も図ることができる。
【発明を実施するための最良の形態】
【００１９】
以下、本発明のかご天井の一実施形態を図に基づき説明する。
【００２０】
図１は可動式の空気誘導手段を持つ天井の断面図である。図２は、可動式の空気誘導手段を持つ上側天井を下から見上げた斜視図である。
【００２１】
図１と図２において、側板１に支持される上側天井２と、前記上側天井２に固定された下側天井吊り下げ枠３と、前記吊り下げ枠３に乗せる下側天井４とで構成されている。上側天井２には照明器具５が固定されており、また、上側天井２の上部には換気装置６が配置されている。
【００２２】
柔軟な素材（ゴムなど）で構成された空気誘導手段８は、可動式の固定手段７（蝶番など）で、上側天井２と固定されている。
【００２３】
図３は通気口付下側天井４ａを上から見た斜視図である。
【００２４】
図１と図３において、通気口付下側天井４ａの通気口４ｂ周囲に柔軟な素材（ウレタンなど）で構成した断熱材１０を貼り付け、柔軟な素材（ゴムなど）で構成された空気誘導手段８を構成とした。
【００２５】
照明器具５の取替などのメンテナンス時には下側天井４を隣接する下側天井４ａの上に移動するが、空気誘導手段８は柔軟な素材（ゴムなど）で構成され、また、可動式の固定手段７（蝶番など）で、上側天井２と固定されているため、通気口付下側天井４ａの移動を妨げることなく、かご中央付近に空気誘導手段８及び通気口４ｂを配置することができる。
【００２６】
本図では空気誘導手段８及び通気口４ｂをかご中央付近に配置しているが、下側天井の範囲内であれば、いずれの位置においても同様の効果が得られる。
【００２７】
また、通気口付下側天井４ａの通気口４ｂ周囲に柔軟な素材（ウレタンなど）で構成した断熱材１０を貼り付け、柔軟な素材（ゴムなど）で構成された空気誘導手段８を擦りつける構成としたため、気密性を高めることができ、効率のよい送風構造を有する天井とすることができる。
【００２８】
さらに、空気誘導手段８を断熱性の素材（ゴムなど）で構成し、下側天井通気口４ｂに断熱性の素材で構成された通気具（図示せず）を設け、また、通気口４ｂ周囲の下側天井４ａ上面に断熱材１０（ウレタンなど）を貼り付けることにより、冷房装置（図示せず）を取付ける際の結露防止も図ることができる。
【図面の簡単な説明】
【００２９】
【図１】本発明の一実施形態において可動式の空気誘導手段を持つ天井の断面図。
【図２】本発明の一実施形態において可動式の空気誘導手段を持つ上側天井を下から見上げた斜視図。
【図３】本発明の一実施形態において断熱材を周囲に貼り付けた通気口を持つ下側天井を上から見た斜視図。
【符号の説明】
【００３０】
１  側板
２  上側天井
３  下側天井吊り下げ枠
４  下側天井
４ａ  通気口付下側天井
４ｂ  通気口
５  照明器具
６  換気装置
７  固定手段
８  空気誘導手段
１０  断熱材
【図１】
2006240828.tif 000003
【図２】
2006240828.tif 000004
【図３】
2006240828.tif 000005